(57)【要約】本発明はアクセス処理方法及びユーザー設備を開示した。この方法は、ユーザー設備がバックオフ回数によってバックオフ値の数値範囲を設定することと、ユーザー設備が数値範囲内のバックオフ値を用いて基地局へパイロット周波数を送信することとを含む。本発明によれば、関連技術においてユーザー設備がネットワークにアクセスする時に存在するアクセス遅延が長い及び公平性の欠如の問題を解決し、これでアクセス遅延の改善及びシステム性能の向上の効果に達した。【選択図】図２
2013509750.tif 000002
【特許請求の範囲】
【請求項１】
ユーザー設備がバックオフ回数によってバックオフ値の数値範囲を設定することと、
前記ユーザー設備が前記数値範囲内のバックオフ値を用いて基地局へパイロット周波数を送信することとを含むことを特徴とするアクセス処理方法。
【請求項２】
前記ユーザー設備が前記バックオフ回数によって前記数値範囲を設定することは、
前記ユーザー設備が、前記バックオフ回数が大きいほど、バックオフ値の上限が小さくなるように前記数値範囲を設定することを含むことを特徴とする請求項１に記載の方法。
【請求項３】
前記ユーザー設備が前記バックオフ回数によって前記数値範囲を設定することは、
前記ユーザー設備が前記基地局からの、バックオフ指示サブヘッドを持つランダムアクセス応答を受信することと、
前記ユーザー設備が前記バックオフ指示サブヘッドによってバックオフ最大値を確定することと、
前記ユーザー設備が前記バックオフ回数と前記バックオフ最大値によって前記数値範囲を設定することとを含むことを特徴とする請求項１に記載の方法。
【請求項４】
前記ユーザー設備が前記バックオフ回数と前記バックオフ最大値によって前記数値範囲を設定することは、
前記ユーザー設備が前記バックオフ回数によって前記バックオフ最大値を下げ、そして下げた後の前記バックオフ最大値を前記数値範囲のバックオフ値上限と設定することを含むことを特徴とする請求項３に記載の方法。
【請求項５】
前記ユーザー設備が前記バックオフ回数と前記バックオフ最大値によって前記数値範囲を設定することは、
前記ユーザー設備が０と前記バックオフ最大値との間でバックオフ値範囲をグループ化することと、
前記ユーザー設備が前記グループと前記バックオフ回数を対応させることとを含むことを特徴とする請求項３に記載の方法。
【請求項６】
前記ユーザー設備が前記数値範囲内のバックオフ値を用いて前記基地局へ前記パイロット周波数を送信することは、
前記ユーザー設備が前記数値範囲内で均一分布に基づいてバックオフ値を選択することと、
前記ユーザー設備が前記バックオフ値を用いて前記基地局へ前記パイロット周波数を送信することとを含むことを特徴とする請求項１〜５のいずれか１項に記載の方法。
【請求項７】
バックオフ回数によってバックオフ値の数値範囲を設定する設定モジュールと、
前記数値範囲内のバックオフ値を用いて基地局へパイロット周波数を送信する送信モジュールとを含むことを特徴とするユーザー設備。
【請求項８】
前記設定モジュールは、
前記基地局からの、バックオフ指示サブヘッドを持つランダムアクセス応答を受信する受信サブモジュールと、
前記バックオフ指示サブヘッドによってバックオフ最大値を確定する確定サブモジュールと、
前記バックオフ回数と前記バックオフ最大値によって前記数値範囲を設定する設定サブモジュールとを含むことを特徴とする請求項７に記載のユーザー設備。
【請求項９】
前記設定サブモジュールは、
前記バックオフ回数によって前記バックオフ最大値を下げる下げユニットと、
下げた後の前記バックオフ最大値を前記数値範囲のバックオフ値上限と設定する設定ユニットとを含むことを特徴とする請求項８に記載のユーザー設備。
【請求項１０】
前記設定サブモジュールは、
０と前記バックオフ最大値との間でバックオフ値範囲をグループ化するグループ化ユニットと、
前記グループと前記バックオフ回数を対応させる対応ユニットとを含むことを特徴とする請求項８に記載のユーザー設備。
【発明の詳細な説明】
【技術分野】
【０００１】
本発明は通信分野に関し、具体的には、アクセス処理方法及びユーザー設備に関する。
【背景技術】
【０００２】
無線通信システムでは、アクセス平均遅延はシステム性能を評価する重要な指標である。長期発展型（Ｌｏｎｇ−Ｔｅｒｍ  Ｅｖｏｌｕｔｉｏｎ、ＬＴＥと略称）システムでは、ユーザー端末が起動し又は非アクセス層（Ｎｏｎ  Ａｃｃｅｓｓ  Ｓｔｒａｔｕｍ、ＮＡＳと略称）プロセスを実行する場合に、ランダムアクセスフローを開始させる。図１は関連技術によるランダムアクセスのシグナル遣り取りの模式図である。端末は、パイロット周波数（メッセージ１、ＭＳＧ１、ｐｒｅａｍｂｌｅとも称する）に１つの無作為に選択したパイロット周波数識別子（Ｉｄｅｎｔｉｆｉｅｒ、ＩＤと略称、ｐｒｅａｍｂｌｅ  ＩＤとも称する）を含ませて基地局へ送信し、そして、受信したランダムアクセス応答（Ｒａｎｄｏｍ  Ａｃｃｅｓｓ  Ｒｅｓｐｏｎｓｅ、ＲＡＲと略称、ＭＳＧ２とも称する）サブヘッドにおけるランダムアクセスパイロット周波数ＩＤ  (Ｒａｎｄｏｍ  Ａｃｃｅｓｓ  Ｐｒｅａｍｂｌｅ  ＩＤ、ＲＡＰＩＤと略称)が送信したものと一致する場合、ｐｒｅａｍｂｌｅプロセス成功(ｐｒｅａｍｂｌｅ  ｓｕｃｃｅｓｓ)と認識し、そして、図１に示すような３、４の２つのステップである競合解決のプロセスを続くことができる。端末はメッセージ３（ＭＳＧ３）で無線リソース制御（Ｒａｄｉｏ  Ｒｅｓｏｕｒｃｅ  Ｃｏｎｔｒｏｌ、ＲＲＣと略称）接続確立請求を基地局へ送信し、そして、メッセージ４（ＭＳＧ４）で解けた競合解決ＩＤ（Ｃｏｎｔｅｎｔｉｏｎ  Ｒｅｓｏｌｕｔｉｏｎ  ＩＤ、ＣＲＩＤと略称）がＭＳＧ３で解けたものと一致する場合、競合解決に成功し、端末がネットワークに成功にアクセスしたと認識する。そうでないと、端末がＭＳＧ１を再びに送信してネットワークに再びにアクセスする。
【０００３】
ある時刻で複数の端末がネットワークに同時にアクセスする場合、基地局が現在処理能力（選択的に）に基づき、ＭＳＧ２にバックオフ指示（ｂａｃｋｏｆｆ  ｉｎｄｉｃａｔｉｏｎ、ＢＩと略称）サブヘッドを含ませることによって今回が成功にアクセスしなかった端末をバックオフさせようと知らせる。ユーザー端末が次回でアクセスする場合に、バックオフシーケンス番号によりバックオフ値（例えば、テーブル１は関連技術によるバックオフ値シーケンス番号と相応のバックオフ閾値との対応関係であり、ｍｓを単位とする）を選択し、一定の時間を退避てからＭＳＧ１を再びに送信する。これで、再びに衝突する確率を低減でき、アクセス成功率を上げる。また、端末がＭＳＧ２でＢＩサブヘッドを受信する場合、たとえｐｒｅａｍｂｌｅ  ｓｕｃｃｅｓｓとなっても、それが依然としてこの値を保存し、そして、競合解決が失敗した後、ＭＳＧ１を再送する場合に、このＢＩ値を用いてバックオフを行う。
【０００４】
【表１】
2013509750.tif 000003
【０００５】
プロトコルでは、ＭＳＧ１を再送する場合に、再送する度に端末送信パワーを、ｐｏｗｅｒ  Ｒａｍｐｉｎｇ  Ｓｔｅｐ（パワー調整因子、システム情報ブロック２（Ｓｙｓｔｅｍ  Ｉｎｆｏｒｍａｔｉｏｎ  Ｂｌｏｃｋ２、ＳＩＢ２と略称）によって配置される）によって増加し、これによって検出成功の確率を向上させることを記載した。しかし、端末が毎回に受信したＭＳＧ２に何れもＢＩサブヘッドを含んで且つ相応のｐｒｅａｍｂｌｅ  ＩＤにマッチしなく又は競合解決が失敗する場合、ある端末が複数回にアクセスして試みて長い時間が掛からないとネットワークに成功にアクセスできない一方、ある端末が第一回でもアクセスできるという状況も排除できない。これで端末がネットワークにアクセスする公平性及びアクセス遅延の短縮を保証できない。
【０００６】
関連技術においてユーザー設備（Ｕｓｅｒ  Ｅｑｕｉｐｍｅｎｔ、ＵＥと略称）がネットワークにアクセスする時に存在するアクセス遅延が長い及び公平性の欠如の問題に対して、現在、効果的な解決スキームはまだ提出されていない。
【発明の概要】
【０００７】
本発明は、関連技術においてＵＥがネットワークにアクセスする時に存在するアクセス遅延が長い及び公平性の欠如の問題に鑑みて行われ、上述問題を解決するアクセス処理スキームを提出することを目的とする。
【０００８】
上述目的を実現するために、本発明の一方によれば、アクセス処理方法を提供した。
【０００９】
本発明によるアクセス処理方法は、ユーザー設備がバックオフ回数によってバックオフ値の数値範囲を設定することと、ユーザー設備が数値範囲内のバックオフ値を用いて基地局へパイロット周波数を送信することとを含む。
【００１０】
好ましくは、ユーザー設備がバックオフ回数によって数値範囲を設定することは、ユーザー設備が、バックオフ回数が多いほど、バックオフ値の上限が小さくなるように数値範囲を設定することを含む。
【００１１】
好ましくは、ユーザー設備がバックオフ回数によって数値範囲を設定することは、ユーザー設備が基地局からの、バックオフ指示サブヘッドを持つランダムアクセス応答を受信することと、ユーザー設備がバックオフ指示サブヘッドによってバックオフ最大値を確定することと、ユーザー設備がバックオフ回数とバックオフ最大値によって数値範囲を設定することとを含む。
【００１２】
好ましくは、ユーザー設備がバックオフ回数とバックオフ最大値によって数値範囲を設定することは、ユーザー設備がバックオフ回数によってバックオフ最大値を下げ、そして下げた後のバックオフ最大値を数値範囲のバックオフ値上限と設定することを含む。
【００１３】
好ましくは、ユーザー設備がバックオフ回数とバックオフ最大値によって数値範囲を設定することは、ユーザー設備が０とバックオフ最大値との間でバックオフ値の範囲をグループ化することと、グループとバックオフ回数を対応させることとを含む。
【００１４】
好ましくは、ユーザー設備が数値範囲内のバックオフ値を用いて基地局へパイロット周波数を送信することは、ユーザー設備が数値範囲内で均一分布に基づいてバックオフ値を選択することと、ユーザー設備がバックオフ値を用いて基地局へパイロット周波数を送信することとを含む。
【００１５】
上述目的を実現するために、本発明の他方によれば、ユーザー設備を提供した。
【００１６】
本発明によるユーザー設備は、バックオフ回数によってバックオフ値の数値範囲を設定する設定モジュールと、数値範囲内のバックオフ値を用いて基地局へパイロット周波数を送信する送信モジュールとを含む。
【００１７】
好ましくは、設定モジュールは、基地局からの、バックオフ指示サブヘッドを持つランダムアクセス応答を受信する受信サブモジュールと、バックオフ指示サブヘッドによってバックオフ最大値を確定する確定サブモジュールと、バックオフ回数とバックオフ最大値によって数値範囲を設定する設定サブモジュールとを含む。
【００１８】
好ましくは、設定サブモジュールは、バックオフ回数によってバックオフ最大値を下げる下げユニット、下げた後のバックオフ最大値を数値範囲のバックオフ値上限と設定する設定ユニットとを含む。
【００１９】
好ましくは、設定サブモジュールは、０とバックオフ最大値との間でバックオフ値の範囲をグループ化するグループ化ユニットと、グループとバックオフ回数とを対応させる対応ユニットとを含む。
【００２０】
本発明によれば、ユーザーがバックオフ回数によってバックオフ値範囲を設定する方式を用いて、関連技術においてＵＥがネットワークにアクセスする時に存在するアクセス遅延が長い及び公平性の欠如の問題を解決し、これでアクセス遅延の改善及びシステム性能の向上の効果に達した。
【図面の簡単な説明】
【００２１】
ここで説明する図面は本発明を理解させるためのもので、本発明の一部を構成し、本発明における模式的な実施例とその説明共に本発明を解釈し、本発明を不当に限定するのではない。図面において、
【図１】関連技術によるランダムアクセスのシグナル遣り取りの模式図である。
【図２】本発明実施例によるアクセス処理方法のフロー図である。
【図３】本発明実施例の実例１によるアクセス処理方法のフロー図である。
【図４】本発明実施例によるＭＳＧ２のＭＡＣ  ＰＤＵ構造の模式図である。
【図５】本発明実施例によるアクセスプロセスの遅延の模式図である。
【図６】本発明実施例によるユーザー設備の構成ブロック図である。
【図７】本発明実施例によるユーザー設備の具体的な構成ブロック図である。
【図８】本発明実施例によるユーザー設備のまた１種の具体的な構成ブロック図である。
【発明を実施するための形態】
【００２２】
関連技術において端末がネットワークにアクセスする時に存在するアクセス遅延が長い及び公平性の欠如の問題を考えて、本発明がアクセス処理スキームを提供し、このスキームの処理原則が以下のとおりである。ＵＥがバックオフ回数によってバックオフ値の数値範囲を設定し、そして、ＵＥが数値範囲内のバックオフ値を用いて基地局へパイロット周波数を送信する。本発明はバックオフ値の選択をＵＥ現在パイロット周波数の送信回数に合わせ、伝送回数がより大きいＵＥに対して、より短い時間をバックオフさせて再びにアクセスさせて試みる一方、伝送回数がより小さいＵＥに対して、より大きい範囲内でバックオフ値を選択させる。このようにして、ＵＥがアクセスする平均遅延を低減し、再びに衝突する確率を低減し、システム性能を向上させ、且つ、複数のＵＥアクセスの公平性を保証し、並びに、工程の実現では算法が低運算複雑度、柔軟なシーン配置などの美点を有する。
【００２３】
以下、図面と実施例を参照しながら、本発明を詳しく説明する。特に説明するのは、対立してない場合に、本案における実施例及び実施例における特徴が相互に組み合ってもよい。
【００２４】
以下の実施例では、図面のフロー図に示すステップはコンピューターによって１セットのコマンドを実行できる計算装置システムで実行でき、且つ、フロー図で論理順序を示したが、ある場合に、これと異なる順序で示した又は記載したステップを実行してもよい。
【００２５】
方法実施例
ＭＳＧ２にＢＩ指示を持つ場合に、且つＵＥのｐｒｅａｍｂｌｅ  ＩＤとＲＡＲサブヘッドにおけるＲＡＰＩＤとがマッチしなく（即ち、ｐｒｅａｍｂｌｅ  ｆａｉｌｕｒｅ）又は競合解決が失敗する場合に、ＵＥがバックオフしてＭＳＧ１を再びに送信する必要がある。
【００２６】
本発明の実施例によれば、アクセス処理方法を提供した。
【００２７】
図２は本発明実施例によるアクセス処理方法のフロー図であり、図２に示すように、この方法は以下のようなステップＳ２０２〜ステップＳ２０４を含む。
【００２８】
ステップＳ２０２において、ＵＥがバックオフ回数によってバックオフ値の数値範囲を設定する。
【００２９】
ステップＳ２０４において、ＵＥがバックオフ値の数値範囲内のバックオフ値を用いて基地局へパイロット周波数を送信する。
【００３０】
ユーザー設備がバックオフ回数によってバックオフ値範囲を設定する方式を用い、関連技術においてＵＥがネットワークにアクセスする時に存在するアクセス遅延が長い及び公平性の欠如の問題を解決し、これでアクセス遅延の改善及びシステム性能の向上の効果に達した。
【００３１】
ステップＳ２０２では、ＵＥがバックオフ回数によってバックオフ値の数値範囲を設定する場合に、ＵＥが、バックオフ回数が多いほど、バックオフ値の上限が小さくなるようにバックオフ値の数値範囲を設定する。
【００３２】
バックオフ値の選択にＵＥ現在パイロット周波数の送信回数を合わせて、伝送回数がより大きいＵＥに対して、より短い時間をバックオフさせて再びにアクセスさせて試みることによって、再びに衝突する確率を低減するとともに、ＵＥがアクセスする平均遅延を低減し、システム性能を向上させ、且つ複数のＵＥがアクセスする公平性を保証する。
【００３３】
ＵＥがバックオフ回数によってバックオフ値の数値範囲を設定することは、基地局がＵＥへバックオフ指示サブヘッドを持つランダムアクセス応答を送信することと、ＵＥが受信したＭＳＧ２にＢＩ指示を有し、且つｐｒｅａｍｂｌｅ  ｆａｉｌｕｒｅ又はｐｒｅａｍｂｌｅ  ｓｕｃｃｅｓｓとなるが、競合解決が失敗する場合に、ＭＳＧ１を再送する前、このバックオフ指示サブヘッドによってテーブル１をサーチしてバックオフ最大値ｂａｃｋｏｆｆ  ｖａｌｕｅを確定することと、ＵＥがバックオフ回数とバックオフ最大値によってバックオフ値の数値範囲を設定し、即ち、ＵＥがバックオフ回数を合わせて新たなバックオフ値の上限（同時に下限を変えてもよい）を再びに設定することとを含む。設定の原則として、バックオフ回数が大きいＵＥのバックオフ上限がバックオフ回数が小さいＵＥより小さい。
【００３４】
ここで、ＵＥがバックオフ回数とバックオフ最大値によって数値範囲を設定することは以下の方式を用いる。
【００３５】
方式１において、ＵＥがバックオフ回数によってバックオフ最大値を下げ、且つ下げた後のバックオフ最大値をこの数値範囲のバックオフ値上限と設定する。
【００３６】
バックオフ回数によってバックオフ最大値を下げ、バックオフ回数がより多いＵＥにより短い時間内で再びにアクセスさせて試みることにより、ＵＥがアクセスする平均遅延を低減し、ＵＥがアクセスする公平性を保証した。
【００３７】
方式２において、ＵＥが０とバックオフ最大値との間でバックオフ値の範囲をグループ化する。そして、グループ化した後のバックオフ値範囲とバックオフ回数とを対応する。グループ化するプロセスでは、原則として、バックオフ回数が大きいほど、対応のグループの数値範囲のバックオフ値上限が小さくなる。
【００３８】
バックオフ値範囲をグループ化し、そしてバックオフ回数に対応して、ＵＥがグループ範囲内で適当なバックオフ値を選択することにより、ＵＥがアクセスする平均遅延を低減するとともに、ＵＥがバックオフ値を選択し、そしてアクセスする柔軟性を向上させた。
【００３９】
ステップＳ２０４では、ＵＥが数値範囲内のバックオフ値を用いて基地局へパイロット周波数を送信することは、ＵＥがバックオフ値上限ｍａｘ  ｂａｃｋｏｆｆ  ｖａｌｕｅ（ｍｉｎ  ｂａｃｋｏｆｆ  ｖａｌｕｅで新たなバックオフ値下限の値を示し、変えないとバックオフ値下限が０である）によって、［ｍｉｎ  ｂａｃｋｏｆｆ  ｖａｌｕｅ,  ｍａｘ  ｂａｃｋｏｆｆ  ｖａｌｕｅ］間で均一分布によってバックオフ値を選択することと、ＵＥがバックオフ値を用いて基地局へパイロット周波数を送信し、即ち、ＵＥが新たに設定したバックオフ区間から選択されたバックオフ値によって、ＭＳＧ１の送信を延期することとを含む。ＵＥが、成功にアクセスしないと、保存したＢＩシーケンス番号及びｂａｃｋｏｆｆ  ｖａｌｕｅを消去し、フロー全体を完成しない。アクセスがまだ成功しない場合、高層タイマーがオーバータイムするまでに、バックオフ値範囲を設定し続ける。
【００４０】
上述方法によって、ＵＥが基地局からのＭＳＧ２におけるバックオフ（ＢＩ）値を処理し、ＭＳＧ１を再送する場合に、このＢＩに対応するバックオフ数値範囲内に、再送回数が多いＵＥが選択したバックオフ値区間がそれと同時にバックオフされた他の再送回数が少さいＵＥのバックオフ値区間より小さくなるように、バックオフ値の上下限を再びに設定する。
【００４１】
以下、実例を合わせて本発明実施例の実現プロセスを詳しく説明する。
【００４２】
実例１
図３は本発明実施例の実例１によるアクセス処理方法のフロー図であり、図３に示すように、この方法は以下のステップＳ３０１〜ステップＳ３０５を含む。
【００４３】
ステップＳ３０１において、端末が、ｐｒｅａｍｂｌｅ  ｆａｉｌｕｒｅ又は競合解決が失敗し、且つ高層タイマー（例えば、Ｔ３００）がまだオーバータイムしない場合、ＭＳＧ１を再送するチャンスがあるので、ステップＳ３０２を実行する。高層タイマーがオーバータイムする場合、アクセスが失敗する。
【００４４】
ステップＳ３０２において、ＭＳＧ２にＢＩサブヘッド（ＢＩサブヘッドが４ｂｉｔで示し、図４は本発明実施例によるＭＳＧ２のＭＡＣ  ＰＤＵ構造の模式図である）を含む場合、テーブル１によってこのＢＩサブヘッドに対応するバックオフ値を確定し、そして、ステップＳ３０３を実行する。ＭＳＧ２にはＢＩサブヘッドを有しない場合、端末がランダムアクセス配置パラメーターによって最も近い一回のチャンスを選択してＭＳＧ１を再びに送信する。
【００４５】
ステップＳ３０３において、この端末のＭＳＧ１の送信回数にあわせて、バックオフ値上限ｍａｘ  ｂａｃｋｏｆｆ  ｖａｌｕｅ、及びバックオフ値下限ｍｉｎ  ｂａｃｋｏｆｆ  ｖａｌｕｅを確定する。
【００４６】
ステップＳ３０４において、［ｍｉｎ  ｂａｃｋｏｆｆ  ｖａｌｕｅ，ｍａｘ  ｂａｃｋｏｆｆ  ｖａｌｕｅ］の範囲内に均一分布によってバックオフ値を選択する。
【００４７】
ステップＳ３０５において、このバックオフ値によってＭＳＧ１を送信し、ｐｒｅａｍｂｌｅ  ｆａｉｌｕｒｅになる場合、ステップＳ３０１を繰り返し、そうでないと、ＭＳＧ３を送信し、そして、競合解決が失敗すると、ステップＳ３０１を繰り返し、競合解決が成功すると、アクセスが成功する。
【００４８】
現有技術では、端末アクセス回数を考えなく、各ＵＥのバックオフ値処理方式が一致しなく、アクセスして試みる回数が多い端末のアクセス遅延を保証できなく、実際に、アクセスプロセス自身の遅延がこのバックオフ時間に対して小さく、１回で成功にアクセスする端末に対して、アクセス遅延がおおよそ何十ミリ秒であり、一旦失敗すると、１回のバックオフ値が最大で何百ミリ秒となり、これでアクセス性能に深刻に影響する。本発明の方法をパワー制御に合わせて、アクセス成功率を効果的に上げ及びアクセス遅延を低減し、システム性能を向上させた。
【００４９】
実例２
図５は本発明実施例によるアクセスプロセスの遅延の模式図であり、ｎ回アクセスした後成功にアクセスした端末について、毎回にＭＳＧ１を送信して受信したＭＳＧ２に何れもＢＩサブヘッドを持ち、且つ失敗の原因が毎回何れもｐｒｅａｍｂｌｅ  ｆａｉｌｕｒｅ（失敗原因が競合解決が失敗することであれば、情況も類似する）であると仮説すると、アクセス遅延が３部分から構成させ、即ち、（１）ｎ−１回失敗にアクセスした場合に、合計ｎ−１つの伝送時間間隔（Ｔｒａｎｓｍｉｓｓｉｏｎ  Ｔｉｍｅ  Ｉｎｔｅｒｖａｌ、ＴＴＩと略称）ウィンドウ（ＴＴＩ  Ｗｉｎｄｏｗ）を持つ、（２）第ｎ−１回失敗した後から再びにアクセスするまでの待ち時間、この値がＢＩ指示におけるシーケンス番号によってテーブルをサーチして得た最大値ｂａｃｋｏｆｆ  ｖａｌｕｅであり、バックオフ値が［０,  ｂａｃｋｏｆｆ  ｖａｌｕｅ］範囲内で均一分布によってバックオフ値を無作為に選択する、（３）第ｎ回成功にアクセスした場合に、ＭＳＧ１を送信してからＭＳＧ２を受信するまでかかった時間。
【００５０】
ここで、ＴＴＩ  ＷｉｎｄｏｗはＭＳＧ１を送信した後ＭＳＧ２を持つウィンドウであり、この値が高層により配置される（一般的には、２ｍｓ〜１０ｍｓ）。ＭＳＧ１を送信してから成功にＭＳＧ２を受信するまでかかった時間が、より短く、ＴＴＩ  Ｗｉｎｄｏｗを超えない。
【００５１】
このため、アクセス遅延を下げるために、重点として注目されるのはＭＳＧ１を再送する前の退避時間であり、ＴＴＩ  Ｗｉｎｄｏｗ及び成功アクセス時の遅延（この両部分が前者に対して遅延がより小さいからである）に関心しなく、即ち、上述遅延の第２部分のみに注目する。
【００５２】
プロトコルの方式によると、これらのｎ−１回の失敗アクセスのＢＩシーケンス番号（ＢＩサブヘッドで解析した）がそれぞれ{
2013509750.tif 000004
}で、テーブル１の対応するバックオフ値がそれぞれが{
2013509750.tif 000005
}であると仮説すると、これらのｎ−１回のバックオフ時間の平均値が
2013509750.tif 000006
となる。
【００５３】
以下、端末の送信回数に合わせて新たなバックオフ値を選択する算法を提供する。
【００５４】
端末の最大送信回数ｍ（システム情報から取得する）によってｂａｃｋｏｆｆ  ｖａｌｕｅをｍ部に等分し、且つバックオフ上限のみを再びに設定し、バックオフ値下限を変えない。
第１回再送であると、バックオフ値区間が［０，ｂａｃｋｏｆｆ  ｖａｌｕｅ］である。
第２回再送であると、バックオフ値の区間をちょっと減らし、数値範囲が［０，(１−１／ｍ)×ｂａｃｋｏｆｆ  ｖａｌｕｅ］である。
…
第ｎ回再送であると、バックオフ値の区間が［０，((ｍ−ｎ+１)／ｍ)×ｂａｃｋｏｆｆ  ｖａｌｕｅ］である。
【００５５】
上述算法によって、端末の最大送信回数がｍであれば、第ｋ回に対応するバックオフ値が
2013509750.tif 000007
であり、これらのｎ−１回再送のバックオフ時間の平均値が
2013509750.tif 000008
であり、平均バックオフ時間が
2013509750.tif 000009
を減らすことができる。
2013509750.tif 000010
がより大きい場合に、平均アクセス遅延が有効に低減される。
【００５６】
実例３
２つのＵＥが同一時刻でＭＳＧ１を送信し、且つこの２つのＵＥが受信した基地局のＭＳＧ２のＭＡＣヘッドにＢＩサブヘッドが含まれ、ＲＡＲのサブヘッドにマッチしたＲＡＰＩＤがない（即ち、ｐｒｅａｍｂｌｅ  ｆａｉｌｕｒｅ）と仮説する。ＵＥ１は第
2013509750.tif 000011
回に送信し、ＵＥ２が第
2013509750.tif 000012
回に送信（且つ
2013509750.tif 000013
）することとする。テーブル１によって、ＢＩサブヘッドに対応するバックオフ値が
2013509750.tif 000014
である。
【００５７】
上述算法によって、再送する場合に、ＵＥ１のバックオフ値が
2013509750.tif 000015
であり、ＵＥ２のバックオフ値が
2013509750.tif 000016
であり、ＵＥ１がＵＥ２のバックオフ時間より
2013509750.tif 000017
大きい。均一分布によって、バックオフ値の平均値が
2013509750.tif 000018
を減らすことになる。
2013509750.tif 000019
がより大きく又は
2013509750.tif 000020
と
2013509750.tif 000021
の差値がより大きい場合に、ＵＥ１とＵＥ２のバックオフ平均値の差が大きくなり、アクセス公平性とアクセス遅延を著しく向上させた。
【００５８】
実例４
端末の最大送信回数ｍ（システム情報から取得する）によってｂａｃｋｏｆｆ  ｖａｌｕｅをｍ部に等分し、バックオフ区間の上下限を再びに設定する。
第１回再送であると、バックオフ値区間が［(ｍ−１)／ｍ×ｂａｃｋｏｆｆ  ｖａｌｕｅ，ｂａｃｋｏｆｆ  ｖａｌｕｅ］である。
第２回再送であると、バックオフ値区間が［(ｍ−２)／ｍ×ｂａｃｋｏｆｆ  ｖａｌｕｅ，(ｍ−１)／ｍ×ｂａｃｋｏｆｆ  ｖａｌｕｅ］である。
…
第ｎ回再送であると、バックオフ値区間が［(ｍ−ｎ)／ｍ×ｂａｃｋｏｆｆ  ｖａｌｕｅ，(ｍ−ｎ+１)／ｍ×ｂａｃｋｏｆｆ  ｖａｌｕｅ］である。
【００５９】
この算法によって、バックオフ回数が異なる端末のバックオフ値が異なる区間に分けられ、且つバックオフ値の区間が重複しなく、再送回数が多い端末が選択したバックオフ値が必ず再送回数が少ない端末が選択したバックオフ値より小さいことを保証でき、アクセスの公平性を向上させた。
【００６０】
装置実施例
本発明の実施例によれば、ユーザー設備を提供した。
【００６１】
図６は本発明実施例によるユーザー設備の構成ブロック図であり、図６に示すように、この装置が、設定モジュール６２及び送信モジュール６４を含み、以下、この構成を詳しく説明する。
【００６２】
設定モジュール６２が、バックオフ回数によってバックオフ値の数値範囲を設定することに用いられ、送信モジュール６４が設定モジュール６２に接続され、数値範囲内のバックオフ値を用いて基地局へパイロット周波数を送信することに用いられる。
【００６３】
図７は本発明実施例によるユーザー設備の具体的な構成ブロック図であり、図７に示すように、設定モジュール６２は、受信サブモジュール７０２、確定サブモジュール７０４及び設定サブモジュール７０６を含み、以下、この構成を詳しく説明する。
【００６４】
受信サブモジュール７０２は、基地局からのランダムアクセス応答を受信することに用いられ、ここで、ランダムアクセス応答にバックオフ指示サブヘッドを持つ。確定サブモジュール７０４は、受信サブモジュール７０２に接続され、バックオフ指示サブヘッドによってバックオフ最大値を確定することに用いられる。設定サブモジュール７０６は、確定サブモジュール７０４に接続され、バックオフ回数とバックオフ最大値によって数値範囲を設定することに用いられる。
【００６５】
設定サブモジュール７０６は、下げユニット７０８及び設定ユニット７１０を含み、以下、この構成を詳しく説明する。
【００６６】
下げユニット７０８は、バックオフ回数によってバックオフ最大値を下げることに用いられる。設定ユニット７１０は、下げユニット７０８に接続され、下げた後のバックオフ最大値を数値範囲のバックオフ値上限と設定する。
【００６７】
図８は本発明実施例によるユーザー設備のまた１種の具体的な構成ブロック図であり、図８に示すように、設定サブモジュール７０６は、グループ化ユニット８２及び対応ユニット８４を含み、以下、この構成を詳しく説明する。
【００６８】
グループ化ユニット８２は、０とバックオフ最大値との間でバックオフ値範囲をグループ化することに用いられる。対応ユニット８４は、グループ化ユニット８２に接続され、グループとバックオフ回数とを対応することに用いられる。
【００６９】
本発明実施例におけるモジュールは、ＵＥのＭＡＣ層に位置し、そして、ＢＩサブヘッドを解析することと、テーブル１に対応してｂａｃｋｏｆｆ  ｖａｌｕｅを取得することと、ＵＥが既に送信したＭＳＧ１の回数によって新たなバックオフ閾値を設定することと、均一分布によって新たな閾値範囲内からＭＳＧ１を再送する時に用いるバックオフ値を選択することとに用いる。
【００７０】
特に説明するのは、装置実施例に記載のＵＥが上述の方法実施例に対応し、その具体的な実現方法が方法実施例で既に詳しく説明したため、詳細な記載はここでは不要である。
【００７１】
以上をまとめてみれば、本発明によれば、アクセス公平性を向上させ、アクセス遅延を改善し、最終にシステム性能を向上させた。
【００７２】
特に説明するのは、図面のフロー図に示すステップは計算装置によって１セットのコマンドを実行できる計算装置システムで実行でき、且つ、フロー図で論理順序を示したが、ある場合に、これと異なる順序で示す又は記載するステップを実行してもよい。
【００７３】
当業者にとって、上述の本発明の各モジュール又は各ステップは共通の計算装置によって実現することができ、単独の計算装置に集中させてもよいし、複数の計算装置から構成されるネットワークに分布させてもよく、或は計算装置が実行可能なプログラムのコードによって実現することもできるので、それらを記憶装置に記憶させて計算装置によって実行することができ、また、ある場合には、示された或は述べられたステップがここでのと違う順で実行されてもよく、又はそれらの夫々をそれぞれ集積回路ブロックに製作し、又はそれらにおける複数のモジュール又はステップを単独の集積回路モジュールに製作して実現することができることは明らかなことである。このように、本発明は如何なる指定のハードウェアとソフトウェアの結合にも限定されない。
【００７４】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013509750.tif 000022
【図２】
2013509750.tif 000023
【図３】
2013509750.tif 000024
【図４】
2013509750.tif 000025
【図５】
2013509750.tif 000026
【図６】
2013509750.tif 000027
【図７】
2013509750.tif 000028
【図８】
2013509750.tif 000029
【国際調査報告】
2013509750.tif 000030
2013509750.tif 000031
2013509750.tif 000032
2013509750.tif 000033